(57)【要約】【課題】調整中等で生ずる受信側での受信障害となる信号状態の発生の通知等を達成する。【解決手段】分散調整部Ｓ２での分散調整中に信号の状態が変化し、受信側での受信障害となる信号状態となり、データ／クロック部Ｓ３でクロックが抽出できないとき、クロック断検出部Ｓ４でクロック断を検出し、クロック選択部Ｓ７がクロックの切り替えを行う。この切り替えを示すクロック切替フラグをデータ処理部Ｓ５が出力データ内に一定時間挿入して光送信部Ｓ８へ出力する。下流の再生中継部又は主信号処理部のデータ／クロック分離部Ｓ３は、切替完了後にクロック抽出ができ、データ処理部Ｓ５で受信信号のモニターができるようになるとき、データ処理部Ｓ５は、クロック切替フラグの受信で過去に遡り一定時間のデータを無効として破棄し、そのときの分散調整値での調整を再度行う。【選択図】図２
2010226555.tif 000002
【特許請求の範囲】
【請求項１】
信号を所定の伝送条件で伝送路に送信する送信手段を有する第１の伝送装置と、前記伝送路に接続され、受信される前記信号に対する受信処理を行う受信手段を有する第２の伝送装置とを有し、
前記第１の伝送装置に、
前記送信手段において前記伝送条件を変更しているときに変更中の前記信号が受信側でエラーを発生させてしまう信号状態になったことを検出する検出手段と、
該検出手段から出力される検出信号に基づいて、前記信号状態の発生を知らせる通知信号を前記送信手段を介して前記伝送路へ送出させる通知手段とを設ける一方、
前記第２の伝送装置に、
前記伝送路を介して前記通知信号を受信する通知受信手段と、
該通知受信手段で受信した前記通知信号に基づいて当該通知信号対応の受信処理を前記受信手段に行なせる受信制御手段を備えることを特徴とする伝送システム。
【請求項２】
前記伝送条件の変更は、分散調整であることを特徴とする請求項１記載の伝送システム。
【請求項３】
前記検出手段は、クロック信号の断を検出する手段であることを特徴とする請求項１又は２記載の伝送システム。
【請求項４】
前記通知手段は、前記検出信号に基づいて前記送信手段から送信される前記信号にクロック切替フラグを挿入させる手段であることを特徴とする請求項３記載の伝送システム。
【請求項５】
前記通知手段は、前記クロック信号の断により送信される前記信号の不定パターンの消滅時に前記クロック切替フラグを前記信号に挿入する手段であることを特徴とする請求項４記載の伝送システム。
【請求項６】
前記通知手段は、第１の前記伝送装置の再生中継部に設けられることを特徴とする請求項４又は５記載の伝送システム。
【請求項７】
前記通知手段は、第１の前記伝送装置の光監視制御部に設けられることを特徴とする請求項４又は５記載の伝送システム。
【請求項８】
前記通知手段は、第１の前記伝送装置の監視制御部に設けられ、該監視制御部は、監視ネットワークを介して下流の前記伝送装置の監視制御部に接続されることを特徴とする請求項４又は５記載の伝送システム。
【請求項９】
前記受信制御手段は、前記通知信号に基づいて当該通知信号の受信時から所定時間前までのデータの廃棄を行い、当該時刻の分散調整値での調整を行うことを特徴とする請求項２乃至８のいずれか一に記載の伝送システム。
【請求項１０】
信号を送信する伝送条件を変更しているときに変更中の前記信号が受信側でエラーを発生させてしまう信号状態になったことを検出し、
検出される検出信号に基づいて、前記信号状態の発生を知らせる通知信号を伝送路へ送信し、
前記伝送路を介して受信される前記通知信号に基づいて当該通知信号対応の受信処理を行うことを特徴とする信号伝送方法。
【請求項１１】
前記伝送条件の変更は、分散調整であることを特徴とする請求項１０記載の信号伝送方法。
【請求項１２】
前記信号状態の検出は、クロック信号の断で行うことを特徴とする請求項１０又は１１記載の信号伝送方法。
【請求項１３】
前記通知信号は、前記検出信号に基づいて前記信号に挿入されるクロック切替フラグであることを特徴とする請求項１２記載の信号伝送方法。
【請求項１４】
前記クロック切替フラグの挿入は、前記クロック信号の断により送信される前記信号の不定パターンの消滅時に行うことを特徴とする請求項１３記載の信号伝送方法。
【請求項１５】
前記通知信号は、伝送装置の再生中継部で生成されることを特徴とする請求項１３又は１４記載の信号伝送方法。
【請求項１６】
前記通知信号は、伝送装置の光監視制御部で生成されることを特徴とする請求項１３又は１４記載の信号伝送方法。
【請求項１７】
前記通知信号は、伝送装置の監視制御部で生成され、該監視制御部から監視ネットワークを介して下流の前記伝送装置の前記監視制御部に送信されることを特徴とする請求項１３又は１４記載の信号伝送方法。
【請求項１８】
前記受信処理は、前記通知信号に基づいて当該通知信号の受信時から所定時間前までのデータの廃棄を行い、当該時刻の分散調整値での調整を行うことを特徴とする請求項１１乃至１７のいずれか一に記載の信号伝送方法。
【請求項１９】
信号を所定の伝送条件で伝送路に送信する送信手段と、
該送信手段において前記伝送条件を変更しているときに変更中の前記信号が受信側でエラーを発生させてしまう信号状態になったことを検出する検出手段と、
該検出手段から出力される検出信号に基づいて、前記信号状態の発生を知らせる通知信号を前記送信手段を介して前記伝送路へ送出させる通知手段とを備えることを特徴とする伝送装置。
【請求項２０】
前記伝送条件の変更は、分散調整であることを特徴とする請求項１９記載の伝送装置。
【請求項２１】
前記検出手段は、クロック信号の断を検出する手段であることを特徴とする請求項１９又は２０記載の伝送装置。
【請求項２２】
前記通知手段は、前記検出信号に基づいて前記送信手段から送信される前記信号にクロック切替フラグを挿入させる手段であることを特徴とする請求項２１記載の伝送装置。
【請求項２３】
前記通知手段は、前記クロック信号の断により送信される前記信号の不定パターンの消滅時に前記クロック切替フラグを前記信号に挿入する手段であることを特徴とする請求項２２記載の伝送装置。
【請求項２４】
前記通知手段は、再生中継部に設けられることを特徴とする請求項２２又は２３記載の伝送装置。
【請求項２５】
前記通知手段は、光監視制御部に設けられることを特徴とする請求項２２又は２３記載の伝送装置。
【請求項２６】
送信装置から伝送路を介して信号を受信する受信手段と、
前記送信装置で信号の伝送条件を変更しているときに変更中の前記信号が受信側でエラーを発生させてしまう信号状態になったことの通知信号を伝送路を介して受信する通知受信手段と、
該通知受信手段で受信した前記通知信号に基づいて当該通知信号対応の受信処理を前記受信手段に行なせる受信制御手段とを備えることを特徴とする伝送装置。
【請求項２７】
前記受信制御手段は、前記通知信号に基づいて当該通知信号の受信時から所定時間前までのデータの廃棄を行い、当該時刻の分散調整値での調整を行うことを特徴とする請求項２６記載の伝送装置。
【発明の詳細な説明】
【技術分野】
【０００１】
この発明は、伝送システム及びその伝送方法並びに伝送装置に関し、詳しくは、上流側伝送装置での調整パラメータ等の伝送条件の変更の、下流側伝送装置への影響防止に有効な伝送システム及びその伝送方法並びに伝送装置に関する。
【背景技術】
【０００２】
従来から信号を長い伝送路を介して伝送する系は、多数の伝送装置で信号を中継して伝送する系として構築されている。その系においては、伝送しようとする信号を受信側の端末装置まで首尾良く伝送するために、伝送信号に必要な調整を施す手段を採用している。
例えば、再生中継部が多段接続され、それらの再生中継部に可変分散補償などを行う調整パラメータを用意している場合に、同時に各再生中継部で調整パラメータの調整を実施して分散補償をする手段（以下、従来技術という）が採られている。
【０００３】
また、特許文献１には、信号の伝送中継区間毎に信号の分散等化を自動的に行う関連技術が記載されている。この関連技術は、伝送中継区間の波長分散に応じて分散量を変化させて分散等化を行うことに関わる技術である。この特許文献１には、交番チャープ信号光の入力変調周波数成分強度を最小値にする、受信信号のクロック成分強度を最大にする等、各種の制御成分を制御するように可変分散等化器の分散量を設定して分散等化を行う技術である。
【０００４】
特許文献２には、信号断、信号劣化等の信号異常発生時に、そして信号異常回復時に計時するための各タイマーを１つのタイマーで行う技術が記載されている。その中で、伝送路の信号異常が発生して回復した後、通信先に回復を通知することの記載もある。
【０００５】
特許文献３には、ユーザからの要求を受け取って個々のコンポーネントに機能提供を要求し、個々のコンポーネントの機能を統合したサービスをユーザに提供するサービス提供システムが記載されている。このシステムでの処理はプログラムで行うことが記述されており、この処理において、マークがついたコンポーネントに他へのブランチの候補がなく、最初のコンポーネントに戻っていないとき、ブランチを更に遡ってブランチの削除をするという記載がある。
【先行技術文献】
【特許文献】
【０００６】
【特許文献１】特開２０００−１１５０７７号公報
【特許文献２】特開平０８−１３９６９２号公報
【特許文献３】再特ＷＯ２００３−０３４７７６号公報
【発明の概要】
【発明が解決しようとする課題】
【０００７】
上述したように、再生中継部を多段接続して構成される伝送系において、それらの再生中継部で調整パラメータの調整を施して信号伝送において問題となる分散補償などを行うことはできる（上記従来技術及び特許文献１）。
しかし、そのような調整において、その途中でクロック切替が発生すると、下流で実施している調整にエラーが発生し、調整が失敗することがあった。
【０００８】
上述の現状での調整は、数分程度の時間が掛かってしまうし、失敗したものを再度調整するという手段や、端から順番に１つずつ調整するという手段を用いて不都合を回避しているが、実運用、手間や調整時間を考えると望ましくない。
また、上述した調整中に発生するエラーに対する対策は、必ずしも望ましいものではなく、なお、解決すべき問題があると言える。このことは、特許文献２及び特許文献３は分散調整に直接関連する技術ではないので、これらの技術についても存在する。
【０００９】
この発明は、上述の事情に鑑みてなされたもので、上流側伝送装置での調整パラメータ等の伝送条件の変更中に下流側伝送装置での受信に与える影響を可及的に防止し得る伝送システム及びその伝送方法並びに伝送装置を提供することを目的としている。
【課題を解決するための手段】
【００１０】
上記課題を解決するために、この発明の第１の構成は、送信側での信号伝送条件を変更しているときに変更中の信号が受信側でエラーを発生させてしまう信号状態になったことを下流の伝送装置に通知する伝送システムに係り、信号を所定の伝送条件で伝送路に送信する送信手段を有する第１の伝送装置と、上記伝送路に接続され、受信される上記信号に対する受信処理を行う受信手段を有する第２の伝送装置とを有し、上記第１の伝送装置に、上記送信手段において上記伝送条件を変更しているときに変更中の上記信号が受信側でエラーを発生させてしまう信号状態になったことを検出する検出手段と、該検出手段から出力される検出信号に基づいて、上記信号状態の発生を知らせる通知信号を上記送信手段を介して上記伝送路へ送出させる通知手段とを設ける一方、上記第２の伝送装置に、上記伝送路を介して上記通知信号を受信する通知受信手段と、該通知受信手段で受信した上記通知信号に基づいて当該通知信号対応の受信処理を上記受信手段に行なせる受信制御手段を備えることを特徴としている。
【００１１】
この発明の第２の構成は、送信側での信号伝送条件を変更しているときに変更中の信号が受信側でエラーを発生させてしまう信号状態になったことを下流の伝送装置に通知する信号伝送方法に係り、信号を送信する伝送条件を変更しているときに変更中の上記信号が受信側でエラーを発生させてしまう信号状態になったことを検出し、検出される検出信号に基づいて、上記信号状態の発生を知らせる通知信号を上記伝送路へ送信し、上記伝送路を介して受信される上記通知信号に基づいて当該通知信号対応の受信処理を行うことを特徴としている。
【００１２】
この発明の第３の構成は、送信側での信号伝送条件を変更しているときに変更中の信号が受信側でエラーを発生させてしまう信号状態になったことを下流の伝送装置に通知する伝送装置に係り、信号を所定の伝送条件で伝送路に送信する送信手段と、該送信手段において上記伝送条件を変更しているときに変更中の上記信号が受信側でエラーを発生させてしまう信号状態になったことを検出する検出手段と、該検出手段から出力される検出信号に基づいて、上記信号状態の発生を知らせる通知信号を上記送信手段を介して上記伝送路へ送出させる通知手段とを備えることを特徴としている。
【００１３】
この発明の第４の構成は、送信側での信号伝送条件を変更しているときに変更中の信号が受信側でエラーを発生させてしまう信号状態になったことの通知に対応する受信処理を行う伝送装置に係り、送信装置から伝送路を介して信号を受信する受信手段と、上記送信装置で信号の伝送条件を変更しているときに変更中の上記信号が受信側でエラーを発生させてしまう信号状態になったことの通知信号を伝送路を介して受信する通知受信手段と、該通知受信手段で受信した上記通知信号に基づいて当該通知信号対応の受信処理を上記受信手段に行なせる受信制御手段とを備えることを特徴としている。
【発明の効果】
【００１４】
この発明によれば、送信側での信号伝送条件の変更中の信号が受信側でエラーを発生させてしまう信号状態になったとしても、その状態を下流側で判断する手段を提供することができる。これにより、分散調整等の自動的再調整を行い得るので、調整失敗により再度調整を実施するための手間や時間を省くことができる。
【図面の簡単な説明】
【００１５】
【図１】この発明の実施形態１である伝送システムの構成を示すブロック図である。
【図２】同伝送システムを構成する伝送装置の主信号処理部又は再生中継部の電気的構成を示すブロック図である。
【図３】同伝送システムにおける分散調整動作でのタイミングチャートを示す図である。
【図４】この発明の実施形態２である伝送システムの構成を示すブロック図である。
【図５】この発明の実施形態３である伝送システムの構成を示すブロック図である。
【発明を実施するための形態】
【実施形態１】
【００１６】
図１は、この発明の実施形態１である伝送システムの構成を示すブロック図、図２は、同伝送システムを構成する伝送装置の主信号処理部又は再生中継部の電気的構成を示すブロック図、また、図３は、同伝送システムにおける分散調整動作でのタイミングチャートを示す図である。
【００１７】
この実施形態の伝送システム１０は、上流の再生中継部での分散補償値等の調整中に、その調整状態の影響を受けて下流の再生中継部又は主信号処理部でエラーを検出してしまう調整状態になるとき、その調整無効フラグを上流の再生中継部から下流の再生中継部又は主信号処理部へ伝達（通知）して下流の再生中継部又は主信号処理部で無効な調整状態の判断ができるようにしたシステムに係り、図１に示すように、主信号処理部Ａ２を有する伝送装置Ａ１と、再生中継部Ｂ２を有する伝送装置Ｂ１と、再生中継部Ｃ２を有する伝送装置Ｃ１と、…、主信号処理部Ｚ２を有する伝送装置Ｚ１とから構成される。
【００１８】
この伝送システム１０では、伝送装置Ａ１の主信号処理部Ａ２は、クライアント信号を収容し、下流の伝送装置Ｂ１に光信号として伝送する役割を担う。伝送装置Ｂ１は、その再生中継部Ｂ２において、伝送装置Ａ１からの光信号を光-電気変換して電気信号に所要の処理を施した後に再度光信号に変換し、下流の伝送装置Ｃ１に伝送する。
以下同様の再生中継しながら光信号を伝送装置Ｚ１まで伝送する。その伝送装置Ｚ１の主信号処理部Ｚ２で光信号の終端処理をしてクライアント信号として出力する。
【００１９】
上述した伝送装置の主信号処理部及び再生中継部は、図２に示すように、光受信部Ｓ１と、分散調整部Ｓ２と、データ／クロック分離部Ｓ３と、クロック断検出部Ｓ４と、データ処理部Ｓ５と、内部発振器Ｓ６と、クロック選択部Ｓ７と、光送信部Ｓ８と、監視制御部Ｓ９とを有して構成される。
【００２０】
光受信部Ｓ１は、クライアント信号又は上流伝送装置からの光信号を光-電気変換する信号変換部である。分散調整部Ｓ２は、伝送される光信号についての分散調整の最適化を行う処理部である。分散調整は、波長分散における分散値をパラメータとして変化させながら、そのときのエラーをデータ処理部Ｓ５でモニターして行う。上記分散調整の過程において、調整中の信号の変化が、受信側でエラーを発生してしまう信号状態（受信障害となる信号状態）への変化となることがある。
データ／クロック分離部Ｓ３は、分散調整部Ｓ２から出力される信号内のデータ部分とそこから抽出されるクロックとを分離する分離部である。
クロック断検出部Ｓ４は、データ／クロック分離部Ｓ３からクロック信号があるか否かを監視してデータ／クロック分離部Ｓ３からクロック信号がなくなるときクロック断信号を出力する検出部である。
【００２１】
データ処理部Ｓ５は、クロック断検出部Ｓ４からのクロック断信号の制御の下に、データ／クロック分離部Ｓ３からのデータ部分及びクロックを、それぞれ、光送信部Ｓ８及びクロック選択部Ｓ７へ出力する。データ処理部Ｓ５において、クロック断検出部Ｓ４からクロック断を示すクロック断信号が供給されるときには、後述するクロック選択部Ｓ７でクロックの切り替えが行われるが、その切り替えが行われたことを示すクロック切替フラグ（通知信号）をデータ内に一定時間挿入してそのデータを光送信部Ｓ８へ出力する。
【００２２】
内部発振器Ｓ６は、クロックを出力するクロック出力部である。クロック選択部Ｓ７は、クロック断検出部Ｓ４から出力されるクロック断信号がないとき、データ処理部Ｓ７からのクロックを、また、クロック断信号があるとき内部発振器Ｓ６からのクロックを出力する選択部である。光送信部Ｓ８は、データ処理部Ｓ５からのデータ部分とクロック選択部Ｓ７からのクロックとに応答してデータを電気−光変換し、光信号を出力する信号処理部である。監視制御部Ｓ９は、データ処理部Ｓ７に接続され、上流から来る状態を監視する処理部である。
【００２３】
次に、図１及び図２を参照して、この実施形態の動作について説明する。
この実施形態の伝送システムにおける信号の伝送は、伝送装置Ｚ１へのクライアント信号が伝送装置Ａ１に入力されると、そのクライアント信号は、伝送装置Ｂ１，Ｃ１、…等において再生中継され、そして伝送装置Ｚ１に伝送される。その伝送装置Ｚ１においてクライアント信号が抽出されて出力される。
この信号伝送における再生中継においても、分散調整が信号に対して施される。この分散調整は、各伝送装置の再生中継部Ｂ２，Ｃ２、…等において最適化するようにして行われる。以下、再生中継部Ｂ２，Ｃ２、…等のいずれかの再生中継部で行われる分散調整の最適化について、図２に示す再生中継部での分散調整の最適化を例に取って説明する。
【００２４】
例えば、図２に示す再生中継部Ｂ２，Ｃ２、…の分散調整部Ｓ２において分散値をパラメータとして変化させながら（図３の（１），（２））、そのときのエラーをデータ処理部Ｓ５でモニターして分散調整の最適化を実施して行くとき、その調整の過程で信号の状態が変化し、データ／クロック部Ｓ３でクロックが抽出できる場合と抽出できない場合とが生ずる。このクロックが抽出できなくなる信号状態までへの調整になると、受信側でエラーを発生してしまうこととなる。
クロックが抽出できる場合には、クロック断検出部Ｓ４からクロック断検出信号は出力されず、断検出信号によって制御されるクロック選択部Ｓ７はその抽出されたクロックを選択し、選択されたクロックに従属した動作を行う。
逆に、クロックが抽出できない場合は、クロック断検出部Ｓ４はクロック断検出信号を出力し、この断検出信号によって制御されるクロック選択部Ｓ７は、内部発振器Ｓ６を選択し、選択されたクロックに従属した動作を行う。
【００２５】
上記後者の場合、すなわち、データ／クロック部Ｓ３でクロックの抽出ができない場合には、クロック断検出部Ｓ４からクロックの断を示すクロック断信号が出力されるから（図３の（３））、クロック選択部Ｓ７でクロックの切り替えが行われる。そのことを示すクロック切替フラグ（通知信号）が、データ処理部Ｓ５において、出力されるデータ内に一定時間挿入されて（図４（４））光送信部Ｓ８へ出力する。なお、図３の（４），（５）中のＡＩＳ信号のＡＩＳは、Alarm Indication Signalである。
【００２６】
上述のようなクロックの切り替えが、上流の再生中継部Ｂ２で行われると、下流の再生中継部Ｃ２，…又は主信号処理部Ｚ２のデータ／クロック分離部Ｓ３においてデータやクロックが抽出できなくなるが、切替完了後には下流の再生中継部Ｃ２，…又は主信号処理部Ｚ２のデータ／クロック分離部Ｓ３でのクロック抽出ができ、下流の再生中継部Ｃ２，…又は主信号処理部Ｚ２のデータ処理部Ｓ５で受信信号のモニターができるようになる。
その際に、下流の再生中継部Ｃ２，…又は主信号処理部Ｚ２のデータ処理部Ｓ５がクロック切替フラグを受信していれば、過去に遡り一定時間のデータを無効として破棄し、そのときの分散調整値での調整を再度行う（図３の（５））。
【００２７】
このように、この実施形態によれば、上流の再生中継部での分散調整中に生ずる信号状態の変化でクロック検出が不能になり(受信側でエラーを発生させる信号状態に至り)、クロックが切り替わるとき、その信号状態になったことをクロック切替フラグにて下流の再生中継部又は主信号処理部に伝達（通知）するうにしたので、無効な調整状態を判断することができる。
この無効な調整状態の判断が可能となり、分散調整の自動的再調整を行い得るので、調整失敗により再度調整を実施するための手間や時間を省くことができる。
【実施形態２】
【００２８】
図４は、この発明の実施形態２ある伝送システムの構成を示すブロック図である。
この実施形態の構成が、実施形態１のそれと大きく異なる点は、クロック切替フラグを光監視制御部で信号のデータに挿入するようにした点である。
すなわち、この実施形態の伝送システム１０Ａは、図４に示すように、光波長多重伝送装置Ｂ１１，Ｃ１１，…等の再生中継部Ｂ１４，Ｃ１４，…等で実施形態１で説明したクロック切替フラグを光監視制御部Ｂ１５，Ｃ１５，…等で信号のデータに挿入するように構成したことにその特徴部分がある。
【００２９】
光波長多重伝送装置Ａ１１，Ｂ１１，…，Ｚ１１のいずれにも、監視制御部Ａ１２，Ｂ１２，…，Ｚ１２、光多重分離部Ａ１３，Ｂ１３，…，Ｚ１３、光監視制御部Ａ１５，Ｂ１５，…，Ｚ１５が設けられ、また、光波長多重伝送装置Ａ１１，Ｚ１１には、主信号処理部Ａ１４，Ｚ１４が設けられる。
光監視制御部Ａ１５，ｂ１５，…，Ｚ１５は、上述したように、再生中継部Ｂ１４，Ｃ１４，…等で検出したクロック断信号の供給を受けてそのクロック断信号に基づいて実施形態１で説明したクロック切替フラグを信号のデータ部分に挿入する機能部である。
【００３０】
光多重分離部Ａ１５，Ｂ１５，…Ｚ１５は、従来の光波長多重伝送装置に設けられているものと同じで、光多重信号の受信、分離、送信を行う機能部である。
また、監視制御部Ａ１２，Ｂ１２，…Ｚ１２も、従来の光波長多重伝送装置に設けられているものと同じで、各種信号の監視を行い、必要な制御を行う機能である。
【００３１】
次に、図４を参照して、この実施形態の動作について説明する。
この実施形態においても、実施形態１と同様の分散調整が、再生中継部Ｂ１４，Ｃ２４，…等で行われる。また、再生中継部Ｂ１４，Ｃ２４，…等での動作は、以下に説明するクロック断検出信号に関わる信号処理を除き、実施形態１と同様である。
【００３２】
上述の分散調整の過程で信号の状態が変化するときには、データ／クロック部Ｓ３（図２）でクロックが抽出できない場合は、クロック断検出部Ｓ４（図２）はクロック断検出信号を出力する。
そのクロック断検出信号は、この実施形態では光多重分離部Ｂ１３，Ｃ１３…等を介して光監視制御部Ｂ１５，Ｃ１５，…等へ転送される。そして、光監視制御部Ｂ１５，Ｃ１５，…等が、クロック断検出信号に応答してクロック選択部Ｓ７でのクロック切り替えが行われた旨のクロック切替フラグを送信されるデータに挿入する処理を行う。このクロック切替フラグが挿入された光信号が、当該光波長多重伝送装置から下流の光波長多重伝送装置へ送信される。
【００３３】
クロック切替フラグが挿入された光信号を受信した下流の光波長多重伝送装置での受信処理は、実施形態１と同様であるので、その説明は繰り返さない。
この実施形態によっても、実施形態１で得られる効果と同等の効果が得られる。
【実施形態３】
【００３４】
図５は、この発明の実施形態３ある伝送システムの構成を示すブロック図である。
この実施形態の構成が、実施形態１のそれと大きく異なる点は、クロック切替フラグを監視制御部から監視ネットワークを介して下流の光波長多重伝送装置に伝送するようにした点である。
すなわち、この実施形態の伝送システム１０Ｂは、図５に示すように、光波長多重伝送装置Ｂ２１，Ｃ２１，…等の再生中継部Ｂ２４，Ｃ２４，…等で実施形態１で説明したクロック切替フラグを監視制御部Ｂ２２，Ｃ２２，…等から監視ネットワーク１１を介して下流の光波長多重伝送装置Ｃ２１，…，Ｚ２１に伝送するように構成したことにその特徴部分がある。
【００３５】
光波長多重伝送装置Ａ２１，Ｂ２１，…，Ｚ２１のいずれにも、上記構成のほか、光多重分離部Ａ２３，Ｂ２３，…，Ｚ２３、光監視制御部Ａ２５，Ｂ２５，…，Ｚ２５が設けられ、また、光波長多重伝送装置Ａ２１，Ｚ２１には、主信号処理部Ａ２４，Ｚ２４が設けられる。
監視制御部Ｂ２２，Ｃ２２，…等は、上述したように、再生中継部Ｂ２４，Ｃ２４，…等で検出したクロック断信号の供給を受け、そのクロック断信号に基づいてクロック切替フラグを監視ネットワーク１１を介して下流の光波長多重伝送装置Ｃ２１，…，Ｚ２１に伝送し、上流の光波長多重伝送装置から監視ネットワーク１１を介して受信するクロック切替フラグを光多重分離部Ｃ２３，…，Ｚ２３を介して再生中継部Ｃ２４，…，主信号処理部Ｚ２４に供給する機能部である。
【００３６】
光多重分離部Ａ２３，Ｂ２３，…Ｚ２３は、従来の光波長多重伝送装置に設けられているものと同じで、光多重信号の受信、分離、送信を行う機能部である。
また、光監視制御部Ａ２５，Ｂ２５，…Ｚ２５も、従来の光波長多重伝送装置に設けられているものと同じで、各種信号の監視を行い、必要な制御を行う機能である。
【００３７】
次に、図５を参照して、この実施形態の動作について説明する。
この実施形態においても、実施形態１と同様の分散調整が、再生中継部Ｂ２４，Ｃ２４，…等で行われる。また、再生中継部Ｂ２４，Ｃ２４，…等での動作は、以下に説明するクロック断検出信号に関わる信号処理を除き、実施形態１と同様である。
【００３８】
上述の分散調整の過程で信号の状態が変化するときには、データ／クロック部Ｓ３（図２）でクロックが抽出できない場合は、クロック断検出部Ｓ４（図２）はクロック断検出信号を出力する。
そのクロック断検出信号は、この実施形態では光多重分離部Ｂ２３，Ｃ２３，…等を介して監視制御部Ｂ２２，Ｃ２２，…等へ転送される。そして、監視制御部Ｂ２２，Ｃ２２，…等が、クロック断検出信号に応答してクロック選択部Ｓ７（図２）でのクロック切り替えが行われた旨のクロック切替フラグを監視ネットワーク１１に送信する。送信されたクロック切替フラグは、監視ネットワーク１１を介して、当該光波長多重伝送装置から下流の光波長多重伝送装置へ送信される。
【００３９】
クロック切替フラグが挿入された光信号を受信した下流の光波長多重伝送装置での受信処理は、実施形態１と同様であるので、その説明は繰り返さない。
この実施形態によっても、実施形態１で得られる効果と同等の効果が得られる。
【００４０】
以上、この発明の実施形態を、図面を参照して詳述してきたが、この発明の具体的な構成は、これらの実施形態に限られるものではなく、この発明の要旨を逸脱しない範囲の設計の変更等があってもそれらはこの発明に含まれる。
例えば、いずれの実施形態においても、分散調整を施している過程においてその信号の状態が変化し、クロックの抽出が出来なくなったとき、クロック断の検出を行い、抽出し得なくなったクロックの代わりに内部クロックを下流の伝送装置に送信する一方、クロック断の検出に応答してクロック切替フラグを送信されるデータに挿入して下流の伝送装置に送信（通知）して無効な調整状態を下流の伝送装置で判断できるようにしている例を示した。
【００４１】
しかし、この発明は、上記例に限られるものではなく、送信しようとする信号の分散調整と同趣旨の、伝送しようとする信号の伝送条件を変更しようとするときに生ずる信号状態が受信側で障害の発生となる状態に至っていることを検出して送信先に通知するような場合へも、上述の実施形態と同等に適用して実施し得る。伝送条件は、伝送しようとする信号により各種各様に設定され得るし、また、伝送条件の変更も、それに応じて設定可能である。
【産業上の利用可能性】
【００４２】
ここに開示している伝送システム及びその伝送方法並びに伝送装置は、伝送条件の変更で生ずるとき、それに伴う通知を必要とする各種の伝送システム等で利用し得る。
【符号の説明】
【００４３】
１０      伝送装置
１０Ａ，１０Ｂ      光波長多重伝送装置（伝送装置）
Ｓ１      光受信部（受信手段の一部、通知受信手段の一部）
Ｓ２      分散調整部（送信手段の一部、受信手段の一部、通知受信手段の一部）
Ｓ３      データ／クロック分離部（送信手段の一部、受信手段の一部、通知受信手段の一部））
Ｓ４      クロック断検出部（検出手段）
Ｓ５      データ処理部（送信手段の一部、受信手段の残部、通知手段、受信制御手段の残部）
Ｓ７      クロック選択部（送信手段の一部）
Ｓ８      光送信部（送信手段の残部）
【図１】
2010226555.tif 000003
【図２】
2010226555.tif 000004
【図３】
2010226555.tif 000005
【図４】
2010226555.tif 000006
【図５】
2010226555.tif 000007